(57)【要約】【課題】ＯＡ器機類の器機同士の接続や電源接続のコード類は少なからぬ余りの部分が発生する。その余長部分はまとめ難く事務室内にあって最も整理整頓が出来難いものであった。当該機器の載置台領域から突出することなく当該載置台が占有する余剰空間内において効率的に収納する収納方法および収納器を提供する。【解決手段】コード端部は接続されたままに、コード類毎に余長部を小さく束ねまとめて収納容器に納め、当該する机や載置台の天板端部から吊り込む支持具をもって天板下部へ吊り込み当該載置台直下の余剰空間に宙吊りに保持保管する。【選択図】図３
2011011012.tif 000002
【特許請求の範囲】
【請求項１】
当該する電線コード類の端部はＯＡ機器類やコンセントに接続した状態を維持したままで該電線コード類の余長部を収納保持する余長部収納方法であって、
吊り込み支持具（４）の上端である上端フック（４ａ）部を前記機器類を載置する載置台の天板（７）の端部に掛止することで下端フック（４ｂ）部を前記載置台直下の余剰空間に垂下させ、ここに吊手（３）をもって該収納容器（１）を宙吊り掛止し、
該収納容器の少なくともその一面には当該機器類から繋がる電線コード類を導入し通過させるための開口部を備えており、
この収納容器の中に開口部（５）を経由した電線コード類の余長部分を纏めて収納して、載置台直下の遊休空間に宙吊り保持、保管するものであることを特徴とする電線コード類の余長部収納方法。
【請求項２】
当該する電線コード類の端部はＯＡ機器類やコンセントに接続した状態を維持したままで該電線コード類の余長部を収納保持する余長部収納器であって、
吊り込み支持具（４）の上端である上端フック（４ａ）部を前記機器類を載置する載置台の天板（７）の端部に掛止することで下端フック（４ｂ）部を前記載置台直下の余剰空間に垂下させ、ここに吊手（３）をもって収納容器（１）を宙吊り掛止し、
該収納容器の少なくともその一面には当該機器類から繋がる電線コード類を導入し通過させるための開口部を備えており、
この収納容器の中に開口部（５）を経由した電線コード類の余長部分を纏めて収納して、載置台直下の遊休空間に宙吊り保持、保管するものであることを特徴とする特許請求項１に記載の電線コード類の余長部収納器。
【発明の詳細な説明】
【発明の詳細な説明】
【技術分野】
【０００１】本発明は事務器機等に繋がる電線コード類やケーブル類の余長部を整理収納する技術に関するものである。
【背景技術】
【０００２】従来ＯＡ機器類でコンセントからの電源を必要とする事務機器のコード類一切の余長部分を効率的に収納する技術は提案がなされておらず余長コード類は机の下などに束ねて放置されていた。【０００３】また、下記特許文献においてはコード余長部を容器中で合理的に整理できるボックスを提供しているもので、本発明とは近接するものの主旨や目的を異にするものである。【０００４】本発明の目的や主旨に類似した過去の技術はなく、本発明は新規性の高い技術である。
【先行技術文献】
【特許文献】
【特許文献】特開２００４−２８３０００（Ｐ２００４−２８３０００Ａ）
【発明の開示】
【発明が解決しようとする課題】
【０００５】所謂ＯＡ機器などは多くの場合机などを載置台としてこの上に載置して使用することが一般的であるが、事務器機を駆動させる接続電気コード類は長めに規格設定がなされているため多くの場合接続されてなお少なからぬ余り部分が残り、また器機同士を連結するコード類においても同様であり一箇所で数種類のコード類が多く余り束状になることも普通に起こることであり、その結果以下に示す状態に至り易いものであった。【０００６】機器用の電源を天井経由で机上に降ろす方法に依る場合は余長コード類が机上に滞留し易く、掃除の障害ともなり見た目にも悪い、つまり机上の余長部は邪魔な障害物であり取除きたいものであった。【０００７】掃除の度にコード類を動かすことはコネクターに接触不良などの悪影響を及ぼしかねない懸念もあった。【０００８】こうしたコード類の状態は端部が器機等に接続されているため余長部は機器類の近傍、多くは机下の床上にて滞留する性質の物となり、見た目に乱雑となり日々の床の掃除においても障害となり、無造作に置かれた束状コード類の内外は埃の吹き溜まり場となって事務室内でも不潔な場所となり、解消を図る必要が課題としてあった。【０００９】また、事務室内における機器の配置が集中した場合の載置台が向き合わせに集中配置されると余長コード類が接近集中し、机下で混在するうちに縺れたり判然としなくなることもあった。【００１０】コード類を接続したままでのこのような時は人が狭い机の下に潜り込んで解きほぐすなどの対応をしなければならないのが現実であり、こうしたことは少なからぬ困難を伴うという課題があった。【００１１】こうした好ましくない諸状況は、ＯＡ機器専用の机や最新の配線設備を備えた事務室では問題解決がなされているが、それ以外の従来型一般的事務室にはほとんど必然的に発生する課題であり、この課題を解決する技術提案はなされていないのが現状である。【００１２】本発明はこのような課題を解決することを目的とするものである。
【課題を解決するための手段】
【００１３】  当該する電線コード類の端部はＯＡ機器類やコンセントに接続した状態を維持したままで該電線コード類の余長部を収納保持する余長部収納方法であって、側面形状が略コの字型形状をなす吊り込み支持具の上端である上端フック部を前記機器類を載置する載置台の天板の端部に掛止することで下端フック部を前記載置台直下の余剰空間に垂下させ、
ここに収納容器の上端にある吊手を掛止することで該収納容器を宙吊り掛止して必要空間を確保占有し、少なくとも該収納容器の一面には当該機器類から繋がる電線コード類を導入し通過させるための開口部を分散しあるいは集中して備えており、この該収納容器の中に該開口部を経由した電線コード類の余長部分を線ごとに小束にして纏めて収納し、机上でもなく床上でもない、また一般的には死角にあたるこの載置台直下の遊休空間に宙吊り保持保管、維持するものであることを特徴とする電線コード類の余長部収納方法である。【００１４】  当該する電線コード類の端部はＯＡ機器類やコンセントに接続した状態を維持したままで該電線コード類の余長部を収納保持する余長部収納器であって、側面形状が略コの字型形状をなす吊り込み支持具の上端である上端フック部を前記機器類を載置する載置台の天板の端部に掛止することで下端フック部を前記載置台直下の余剰空間に垂下させ、
ここに収納容器の上端にある吊手を掛止することで該収納容器を宙吊り掛止して必要空間を確保占有し、少なくとも該収納容器の一面には当該機器類から繋がる電線コード類を導入し通過させるための開口部を分散しあるいは集中して備えており、この該収納容器の中に該開口部を経由した電線コード類の余長部分を線ごとに小束にして纏めて収納し、机上でもなく床上でもなく、また一般的には死角にあたるこの載置台直下の遊休空間に宙吊り保持保管、維持するものであることを特徴とする電線コード類の余長部収納器である。
【発明の効果】
【００１５】本発明により以下に示す効果を発揮する。【００１６】吊り込み支持具の形状が略コの字型形状であることは上端と下端のフックが同方向に構成するものであるから、上端フックを天板の任意の端部に掛止することで、下端フックを前記任意の載置台直下の余剰空間に垂下させて収納容器の位置決定とするものであり、遊休空間中に必要とする空間を合理的に確保占有しこの空間を有効化したことによって余長コード類の当空間への移設を実現した。【００１７】床上や机上に乱雑する余長コード類の整理整頓を、前記した手段で行うことで床上や机上環境は少なくとも余長コード類の無い良好な状態となり、掃除の行い易く清潔を維持し易い床上環境が得られた。【００１８】余長コード類が、宙吊りの収納容器中に収納されこれを死角となる遊休空間に整然と整理したことにより視界から余長コードそのものと見苦しさとが除去されて良好な執務環境が得られた。【００１９】本発明収納方法と器具は、コード類の余長を吸収調整する機能に優れ余長分だけを収納して必要最小の長さを表に残した整理収納状態を容易に実現でき、また、容器中に夫々小さく仮結束して別々に順次収納するものであるから線のもつれや絡みの発生が無く、さらには後日のメンテナンス時にも中から必要な線束一本のみを取出すことや、全てのコード収納のやり直しや原状回復、つまり束を元の線状に戻すことなどの要求に即応できること、容器に収納時の状態で清潔なままで維持できること、など良好かつ高い整理性と操作性を実現した。【００２０】天板直下の一般的に死角となる遊休空間を必要な収納空間だけ占有する合理的手段を用い、作業手順として事務機器を定位置に載置した後、支持具の掛止垂下、収納容器の掛止、続いてコード類の余長部調整、収納と完了へと作業進行がなされるものであるから余長部調整が状況に合わせて、また順を追って誰にでも整理を行い易く余長コードの整理を平易に標準化した。
【図面の簡単な説明】
【００２１】
【図１】本発明収納器の外観斜視図である。
【００２２】
【図２】本発明収納器の使用状態を示す詳細斜視図である。
【００２３】
【図３】本発明収納器設置状態の一例を示す斜視図である。
【００２４】
【図４】本発明収納器実施例２を示す斜視図である。
【発明を実施するための最良の形態】
【００２５】本発明余長コードの収納方法と収納器は、当該するＯＡ機器類余長コード類のメンテナンス作業性の改善を図ることも目的の一つとしている。【００２６】本発明余長コードの収納方法と収納器は、収納容器とそれを宙吊り保持する支持具とで構成される。【００２７】コード類を収納する収納容器は下方に開く蓋付の箱とし、横長方形で厚みは縦寸法よりも比較的小である、つまり外形は薄型の長方形箱型であることが最も利用し易いものである。【００２８】箱の上端中央部には吊手があり、この吊手を上方から垂下する支持具の下端フックに掛止して保持保管の定位置とする。【００２９】垂下する支持具に掛止した収納容器の蓋を下方に開くと箱の左右両縁及び上縁にはコード類の出入り口である開口部となる欠き込みを有し、この欠き込みは左右両縁においては斜め下方向きであり出入りするコード類の懸け止めの機能を兼ね備える。【００３０】上方の欠き込みは横方向に懸け止めの機能を有する。【００３１】箱の内側壁面には束ねたコード類を懸け止めるためのフックを設ける等の手段を講じることも収納コード類の安定化を図る上で良い。【００３２】一方、この収納容器を掛止する支持具は金属薄板を側面形状をコの字型に形成したもので上端に安定板部である上端フックと下端に収納容器を掛止するための下端フック部を有する。【００３３】これを設置するとき安定板部は当該ＯＡ機器類を載置する載置台の天板上に掛止設置することで平面同士で密接して安定掛止がなり、併せて下端フック部が天板直下に垂下した状態を作り出しここに収納容器を掛止し保持位置とする。【００３４】このように設置された本発明余長コードの収納容器に、台上に載置された機器に繋がる余長コード類の一端を前記容器縁の開口部を経由させて取り込み、余長部を夫々小さく束ねて紐などで仮結束して順次収納し、残るコード類の他端を適宜開口部を経由させて容器外へ繰り出す。【００３５】このときコード類の一部となっているアダブターなどの小機器も併せて収納することができる。【００３６】その後、下方に開いている容器の蓋を閉じて収納を完了する。【００３７】また、本発明収納器を掛止する場所も被掛止箇所を機器の載置台以外に別途設けた壁面などとすることも可能であり、それが利便性において効果のある場合に考慮される。【００３８】事務機器類の設置は多くの場合仮設の状態で使用に供するが、これは逆に見ると何時でも事情の変化で移動する可能性を否定できないものであり、こうした時に本発明は随時原状に回復させたり再度収納を実施するなどが自在に行われるもので、これは本発明の大きな特徴であり効果である。
【発明の実施例１】
【００３９】本発明を図面によって説明すると図１は本発明余長コード類の収納容器を載置台背後から扱うよう設置した場合を示し、下方に開く蓋２付きの箱状をなし、該収納容器の縦寸法よりも小である比較的薄型の吊り箱状を形成する。
【００４０】箱の上端中央部には吊手３があり、この吊手３を上方から垂下する吊り込み支持具４の下端フック４ｂに掛止して収納容器１を宙吊りとし、この位置を収納容器１の定位置とする。
【００４１】蓋２を下方に開くと箱の左右両縁および上縁にはコードの出入り口となり開口部５である適当数の欠き込みがあり、この欠き込みは左右両縁においては斜め下方奥向きであり出入りするコード類の収容時に一時的に懸け止める機能を兼ね備え、上方の欠き込みは横方向に長く、同様に懸け止めの機能を有する。
【００４２】蓋２を閉じると欠き込みは開口部５の一部が閉じられることになり孔状の開口部となる。
【００４３】収納容器１の内壁面には安定フック６があり、収容時のコードを架け止める機能と束のコード類の位置を安定させる機能を持つ。
【００４４】収納容器１を掛止する吊り込み支持具４は鉄板薄板を側面形状をコの字型に形成し、その上端に安定板４ａ部を備えその面を載置台の天板７の面に密着掛止すると下端フック４ｂ部は天板直下に垂下し、自重を含めた荷重を安定板４ａの面により支持するため安定設置することができる。
【００４５】吊り込み支持具４は天板７の縁に沿って自由移動できるので載置する機器類の近傍に効果的位置を求め得るもので、図３は一般的な事務机に機器類を載置した場合を示し、天板７の後端部直下の遊休空間に宙吊り保持されている状態を示す。
【００４６】上記のように設置がなされた本発明余長コードの収納器に以下のように余長コードを収納する。
【００４７】図２に示す普通の場合一箇所で収納すべき余長コード８ａは３本乃至６本程度あることが一般的であり、これらのコードを夫々小さく纏めて仮に結束したものを、前述宙吊りに設置がなされた収納容器１の中へ、安定フック６へ架け止めて順次収納する。
【００４８】太いコードなど安定フック６へ架け止めることが適当でないものは架け止めることなく収納する。
【００４９】このときコード８の両端は適当な箇所の欠き込み開口部５に夫々架け止めて整理する。
【００５０】全ての収納が終った状態は図２に示し、この後蓋２を閉じて収納が完了する。
【００５１】載置台が設置されている場所環境によって収納容器１を掛止する裏表の方向が選択できる自在性がある。すなわち、
【００５２】載置台の背後、つまり向う側に人が行くことのできる場合はその側に人が行って収納操作を行なうので、その側で蓋２を開き扱うよう下端フック４ｂへ架け止める。
【００５３】この逆の場合は載置台の前方から下に潜って収納操作を行うので前記とは逆に収納容器１を裏返して下端フック４ｂへ架け止める。
【００５４】この実施例においては収納容器を箱型として例示したが、これに代わるものとして袋体やネット体また籠型でも良く、あるいは籠型に袋体を被せるなどの組み合せでもよい。しかし整理整頓の基本に則るならば外見が長方形をなす箱型が当該機器等との視覚的バランスが良く、収まりが良いものである。
【実施例２】
【００５５】本発明を実施する場所により、外観的に体裁を整える必要が無い場合も考えられ、こうした場合の整理の実効を第一に優先し外観を重要視しない実施例を示す。【００５６】前述した収納容器１は箱体であり、収納するコード類も収納後の外観も極めて収まりの優れた例であるが、箱体を籠体に変更することで廉価な生産が可能となる。【００５７】図４に示すように籠体９の桝目から中の収納物が見えるだけでなく、籠を机に吊るすこと自体が整頓上見栄えがしないために、例えばそれが来客の目に自然に触れる場合などでは不向きかつ不都合である。【００５８】しかし不都合が無い場合は廉価で経済的である方を普通は選択されるものであるから本実施例２は経済性を優先した例である。【００５９】用語の定義として、余剰空間とは余剰にして必要欠くべからざる載置台周辺の空間であり、遊休空間とは余剰空間の中にあって再利用可能な空間である。
【産業上の利用可能性】
【符号の説明】Ａ：本発明余長コードの収納器
１：収納容器
２：蓋
３：吊手
４：吊り込み支持具
４ａ：上端フック
４ｂ：下端フック
５：開口部
６：安定フック
７：天板
８：電線コード
８ａ：余長コード
９：籠体、である。
【図１】
2011011012.tif 000003
【図２】
2011011012.tif 000004
【図３】
2011011012.tif 000005
【図４】
2011011012.tif 000006